Podtech/llm-jp-corpus-v4-ja_patent huggingface dataset:
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
コヒーレント光のソースと；
無線周波数信号を受信し、かつ前記無線周波数信号によって前記コヒーレント光のソースをドライブするために接続される入力端子と；
前記コヒーレント光の位相を変調するために接続される光変調器と；
前記コヒーレント光のソースによって誘発されるチャープをキャンセルするための伝達特性を持ち、かつ、前記入力端子からの前記無線周波数信号の部分を受信するために接続された積分要素と；
前記積分要素の出力端子に接続され、前記光変調器を制御するために接続される出力端子を有する遅延要素であって、前記積分要素及び前記遅延要素は、前記光変調器と共に、前記コヒーレント光のソースの誘発されたチャープをキャンセルまたは減らすために、前記無線周波数の前記部分の位相を略１８０度変えるところの、遅延要素と；
を有する光トランスミッタ。
【請求項２】
前記コヒーレント光のソースは、レーザーまたはレーザーダイオードを含む、請求項１記載のトランスミッタ。
【請求項３】
前記コヒーレント光が１５５０ナノメートルのバンドの波長を有する、請求項１記載のトランスミッタ。
【請求項４】
ＳＢＳ抑制トーン発振器と；
前記ＳＢＳ抑制トーンを受信するために接続され、かつ前記遅延要素の前記出力端子に接続され、かつ前記光変調を制御するために接続される出力端子を有するダイプレクサ要素と；
を含む請求項１記載のトランスミッタ。
【請求項５】
前記無線周波数信号は、異なる周波数の複数の信号の複合である、請求項１記載のトランスミッタ。
【請求項６】
前記コヒーレント光のソースおよび前記光変調器が単一のパッケージに存在する、請求項１記載のトランスミッタ。
【請求項７】
前記遅延要素は、利得増幅器に接続された可変遅延要素を含む、請求項１記載のトランスミッタ。
【請求項８】
前記入力端子から前記コヒーレント光のソースへの前記無線周波数信号の電気経路の長さが、前記入力端子から前記光変調器への前記無線周波数信号の前記部分の電気経路の長さと同じ長さである、請求項１記載のトランスミッタ。
【請求項９】
請求項１記載のトランスミッタであって、
コヒーレント光の第２のソースと；
第２の無線周波数信号を受信し、かつ前記コヒーレント光の第２のソースをドライブするために接続される第２の入力端子と；を有し、
前記入力端子は前記コヒーレント光の第２のソースをドライブするためにも接続され；
かつ、当該トランスミッタは、
コヒーレント光の両方のソースから前記コヒーレント光を結合し、かつ前記結合されたコヒーレント光を前記光変調器に伝送するために接続される光合波器、を更に有するトランスミッタ。
【請求項１０】
前記第２の無線周波数信号とは情報のコンテンツにおいて異なっており、かつ、前記コヒーレント光のソースをドライブするために接続される第３の無線周波数信号を受信する第３の入力端子；
を更に有する請求項９記載のトランスミッタ。
【請求項１１】
前記第２の無線周波数信号は、直交振幅変調信号である、請求項９記載のトランスミッタ。
【請求項１２】
ソースからコヒーレント光を提供するステップと；
無線周波数信号を受信するステップと；
前記コヒーレント光のソースをドライブするために前記無線周波数信号を接続するステップと；
前記コヒーレント光のソースに誘発されたチャープをキャンセルする伝達特性を持つ積分要素によって前記受信された無線周波数信号の部分を積分するステップと；
前記無線周波数信号の前記積分された部分を遅延させるステップと；
光学的に前記コヒーレント光の位相を変調するために前記無線周波数信号の前記遅延された部分を加えるステップと；
を有し、
前記積分するステップと、前記遅延させるステップは、前記コヒーレント光のソースによって誘発されたチャープをキャンセルまたは減らすために、前記無線周波数信号の前記部分の位相を光学的変調で略１８０度変える、
光学信号を送信する方法。
【請求項１３】
前記コヒーレント光のソースは、レーザーまたはレーザーダイオードを含む、請求項１２記載の方法。
【請求項１４】
前記コヒーレント光が、１５５０ナノメートルのバンドの波長を有する、請求項１２記載の方法。
【請求項１５】
ＳＢＳ抑制トーンを生成するステップと；
ダイプレクサを使用して、前記ＳＢＳ抑制トーンおよび前記遅延された無線周波数信号を結合するステップと；
を更に有する請求項１２記載の方法。
【請求項１６】
前記無線周波数信号は、異なる周波数の複数の信号の複合である、請求項１２記載の方法。
【請求項１７】
前記コヒーレント光のソースおよび前記光を変調することは、単一のパッケージで実行される、請求項１２記載の方法。
【請求項１８】
前記遅延させるステップは、可変遅延増幅器によってなされる、請求項１２記載の方法。
【請求項１９】
前記入力端子から前記コヒーレント光のソースへの前記無線周波数信号の電気経路の長さが、前記入力端子から光変調の場所への前記無線周波数信号の前記部分の電気経路の長さと同じ長さである、請求項１２記載の方法。
【請求項２０】
第２のソースから第２の無線周波数信号およびコヒーレント光を提供するステップと；
前記コヒーレント光の第２のソースをドライブするために前記無線周波数信号および前記第２の無線周波数信号を接続するステップと；
前記無線周波数信号の前記遅延された部分を用いて、前記コヒーレント光の第２のソースから前記コヒーレント光の位相を光学的に変調するステップと；
を更に有する請求項１２記載の方法。
【請求項２１】
前記第２の無線周波数信号は、直交振幅変調信号である、請求項２０記載の方法。
【請求項２２】
コヒーレント光の複数のソースと；
第１の無線周波数信号を受信し、かつ前記コヒーレント光のソースの各々をドライブするために接続される第１の入力端子と；
前記コヒーレント光のソースの各々と関連する、追加的な入力端子であって、互いに各々異なっている情報コンテンツを有している追加的なそれぞれの無線周波数信号を受信し、かつコヒーレント光の前記関連するソースをそれぞれの付加的な無線周波数信号でドライブするために接続されるところの追加的な入力端子と；
各コヒーレント光のソースに接続された光合波器と；
前記光合波器からの前記光の出力の位相を変調するために接続される光変調器と；
前記コヒーレント光のソースによって誘発されるチャープをキャンセルするための伝達特性を持ち、かつ、前記入力端子からの前記無線周波数信号の部分を受信するために接続された積分要素と；
前記積分要素の出力端子に接続され、前記光変調器を制御するために接続される出力端子を有する遅延要素であって、前記積分要素及び前記遅延要素は、前記光変調器と共に、前記コヒーレント光のソースの誘発されたチャープをキャンセルまたは減らすために、前記無線周波数の前記部分の位相を略１８０度変えるところの、遅延要素と；
を有する光トランスミッタ。
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
使用済みのフィッシャー‐トロプシュ合成用コバルト触媒を再生するための方法であって、使用済みのフィッシャー‐トロプシュ合成用コバルト触媒粒子に対して、ワックス除去処理、４〜３０バール（絶対圧）の圧力下での空気中における酸化処理、及び還元処理を順次行なうことにより触媒を再生することを含むことを特徴とする方法。
【請求項２】
４〜３０バール（絶対圧）の圧力下での酸化処理及びその後の還元処理を含む少なくとも１回の更なる再生サイクルを行なうことを更に含むことを特徴とする請求項１に記載の方法。
【請求項３】
ワックス除去処理が、水素化分解、溶媒洗浄または溶媒抽出、並びに溶媒洗浄または溶媒抽出及びその後の水素化分解からなる群より選ばれる１種を含むことを特徴とする請求項１または２に記載の方法。
【請求項４】
ワックス除去処理の後で、酸化処理の前に、触媒を不動態化することを更に含むことを特徴とする請求項１〜３のいずれかに記載の方法。
【請求項５】
酸化処理が、ワックス除去した触媒粒子を、高温下と４〜３０バール（絶対圧）の高圧力下の空気中で流動させることにより仮焼することによって触媒粒子を酸化させることを含むことを特徴とする請求項１〜４のいずれかに記載の方法。
【請求項６】
ワックス除去した触媒粒子の流動化を該高圧力下の反応室中で行ない、その際、触媒粒子を加熱して温度Ｔまで昇温し、触媒粒子を温度Ｔに一定時間維持することにより仮焼することを特徴とする請求項５に記載の方法。
【請求項７】
触媒粒子の流動中の反応室における空間速度が１００〜２００００ｍｌn／触媒１ｇ／１時間の範囲内であることを特徴とする請求項６に記載の方法。
【請求項８】
触媒粒子を加熱して温度Ｔまで昇温する速度が０．１〜１０℃／分であることを特徴とする請求項５または６に記載の方法。
【請求項９】
温度Ｔが１５０℃〜４００℃の範囲内であることを特徴とする請求項６〜８のいずれかに記載の方法。
【請求項１０】
触媒粒子を温度Ｔに維持する時間が０．１時間〜２４時間の範囲内であることを特徴とする請求項６〜９のいずれかに記載の方法。
【請求項１１】
酸化処理を行なう高圧力が４〜１２バール（絶対圧）の範囲内であることを特徴とする請求項１〜１０のいずれかに記載の方法。
【請求項１２】
還元処理が、高温下と圧力Ｐ（但しＰ ＞ ０．８バール（絶対圧））下の水素含有還元性ガスで酸化触媒粒子を処理することを含むことを特徴とする請求項１〜１１のいずれかに記載の方法。
【手続補正２】
【補正対象書類名】明細書
【補正対象項目名】００３４
【補正方法】変更
【補正の内容】
【００３４】
しかし、本発明の他の１つの態様においては、還元処理を以下の手順を含む方法で行なうことができる。
第１活性化段階において、仮焼された状態の還元可能な酸化コバルトを含み、コバルト原子１モル当たりの酸素原子のモル数が４／３モルを超える式単位を有し、還元可能な酸化コバルトの比表面積がＣｏ3Ｏ4スピネルの比表面積と少なくとも等しい酸化触媒粒子を、純粋水素である還元性ガスを用い、特定の第１供給ガス空間速度ＳＶ１を用い、第１加熱速度ＨＲ１で処理して、部分的に還元した触媒前駆体を得、そして
第２活性化段階において、部分的に還元した触媒前駆体を、純粋水素である還元性ガスを用い、特定の第２供給ガス空間速度ＳＶ２を用い、第２加熱速度ＨＲ２で処理して、活性化したフィッシャー-トロプシュ合成用担持コバルト触媒を得る（但しＳＶ２ ＜ ＳＶ１、及び／又はＨＲ２ ＞ ２ ＞ ＨＲ１、但しＳＶ２＝ＳＶ１の場合、ＨＲ２≠ＨＲ１であり、ＨＲ２＝ＨＲ１の場合、ＳＶ２≠ＳＶ１である）。
【手続補正３】
【補正対象書類名】明細書
【補正対象項目名】００６７
【補正方法】変更
【補正の内容】
【００６７】
コバルト触媒に関して報告された下記のＦＴ速度式：
RFT ＝ (kFT pH2 PCO)/(1 + kpCO)2
を適用し、報告された実験についてのアレニウス前指数項（Arrhenius derived pre-exponential factor）ｋFTを推定した。
【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
患者の体内に治療液を配給するための装置であって、
治療液を含むタンクを有する分配ユニットであって、該タンクは、丸くない断面を備えると共に前記分配ユニットのハウジングの単一部分として構成されている、前記分配ユニットと、
前記患者の体内に挿入するための貫入部材及びカニューレを有する貫入カートリッジと、
前記分配ユニットと通信を行うと共に、液体の流れをプログラムし、前記分配ユニット、データ獲得、及びデータ表示を制御するための命令を発行する遠隔制御ユニットと、
を備え、
前記分配ユニットは、前記患者の体内に直接取り付け可能であるか、或いは、皮膚固着針ユニットに着脱可能であることを特徴とする装置。
【請求項２】
前記分配ユニットは、更に、駆動機構及び排出ポートを備え、
前記駆動機構により、前記タンク内に配設された治療液が、前記排出ポートの方へ促され、
前記排出ポートは、前記針ユニットに着脱されるように構成され、該排出ポートと前記針ユニットとの間の接続によって、接続管腔を介して液体が通じるように前記タンクと前記カニューレとの間を連通させることを特徴とする請求項１に記載の装置。
【請求項３】
前記分配ユニットは、更に、
前記駆動機構の少なくとも一部と、電子構成部と、前記分配ユニットの動作を制御するための少なくとも１つのボタンと、を有する再使用部と、
前記タンクと前記排出ポートとを有する使い捨て部と、
前記電子構成部の少なくとも１つに接続され、前記再使用部と前記使い捨て部とを接続されたときにエネルギーを供給するエネルギー供給手段と、
を備え、
前記再使用部を前記使い捨て部に接続したときに液体の分配が可能となることを特徴とする請求項２に記載の装置。
【請求項４】
前記タンクの前記丸くない断面は、オーバル、楕円、矩形、及び多曲線からなるグループから選択されることを特徴とする請求項１に記載の装置。
【請求項５】
前記タンクの前記丸くない断面は、少なくとも２つの異なる半径を有する少なくとも４つの曲線で構成されていることを特徴とする請求項１に記載の装置。
【請求項６】
前記使い捨て部は、プランジャーを更に備えることを特徴とする請求項３に記載の装置。
【請求項７】
前記プランジャーは、前記再使用部内に受け入れ可能なプランジャーロッドと、前記タンク内に配設されるプランジャーヘッドとを備え、
前記プランジャーロッドは、前記駆動機構に接続され、前記使い捨て部と前記再使用部とが接続されるときに、部分的に前記再使用部内に配設され、また部分的に前記使い捨て部内に配設され、
前記プランジャーヘッドは、前記タンク内の前記治療液を能動的に前記排出ポートの方へ変位させることを特徴とする請求項６に記載の装置。
【請求項８】
前記使い捨て部の前記排出ポートは、該排出ポートを介して前記タンクが治療液で満たされることを可能にすることを特徴とする請求項７に記載の装置。
【請求項９】
治療液容器に接続可能な第１のポートと前記排出ポートに接続可能な第２のポートをと有する充填アダプターを更に備え、
前記第１のポートは、前記治療液容器の隔壁に穴をあけるためのアダプター針を備え、
前記第２のポートは、前記排出ポートに提供された接続管腔により穴をあけられるアダプター隔壁を備え、
前記第１のポートを前記治療液容器に接続し前記第２のポートを前記排出ポートに接続したとき、前記充填アダプターを介して前記治療液容器と前記タンクとの間で液体の連通が確立されることを特徴とする請求項８に記載の装置。
【請求項１０】
前記タンクは、前記プランジャーロッドを前記タンクから引くことにより満たされることを特徴とする請求項８又は９に記載の装置。
【請求項１１】
前記駆動機構は、モーターと、ギアと、複数のねじ山を有したねじ切りスクリューナットとを備え、
前記モーターは前記ギアを回転させ、前記ギアの回転が、前記スクリューナットを回転させることを特徴とする請求項２に記載の装置。
【請求項１２】
前記プランジャーは、前記プランジャーロッドの長さ方向に沿って配設された複数のねじ山を有し、
前記ねじ切りスクリューナットのねじ山は、前記プランジャーロッドの前記ねじ山と相互作用し、前記スクリューナットの回転が、前記プランジャーの前記タンク内での並進を誘導することを特徴とする請求項７又は１１に記載の装置。
【請求項１３】
前記プランジャーの少なくとも一部分の断面は、前記タンクの前記丸くない断面に実質的に対応していることを特徴とする請求項７に記載の装置。
【請求項１４】
前記ハウジングは、少なくとも部分的に透明であることを特徴とする請求項１に記載の装置。
【請求項１５】
前記使い捨て部を前記再使用部に接続したとき前記装置の密封性を維持するため少なくとも１つのガスケットを更に備えることを特徴とする請求項３に記載の装置。
【請求項１６】
前記タンクは、１２ｍｍ未満の高さと、約２ｃｃの最大液体容量を有することを特徴とする請求項１に記載の装置。
【請求項１７】
治療液はインスリンであることを特徴とする請求項１に記載の装置。
【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
検出可能な用量のＭＲＩ造影剤を有する被検者の血液脳関門を分析する方法であって、
予め定められた時間にわたって被検者の脳の複数の磁気共鳴画像を取得するステップ、
前記複数の磁気共鳴画像のうちの少なくとも２つの磁気共鳴画像をそれらの間で比較して、前記脳内における造影剤の濃度の変動を決定するステップ、
前記変動に基づいて、血液脳関門機能を評価するステップ、および
血液脳関門機能に関するレポートを発行するステップ
を含む方法。
【請求項２】
前記濃度変動をマッピングするステップをさらに含み、前記レポートは、血液脳関門機能マップを含む、請求項１に記載の方法。
【請求項３】
前記比較は、それぞれが１つの磁気共鳴画像と関連している複数の正規化強度マップを作図するステップを含み、前記濃度変動をマッピングするステップは、前記濃度変動を表現する少なくとも１つの変動マップを作図するために、一対の強度マップの間での非類似性を検出するステップを含む、請求項２に記載の方法。
【請求項４】
前記変動を決定するステップは、磁気共鳴画像内における関心領域に対して代表的強度値を割り当てるステップ、および前記代表的強度値の時間依存性を決定するステップを含む、請求項１〜３のいずれかに記載の方法。
【請求項５】
前記時間依存性を表現するグラフを作成するステップをさらに含む、請求項４に記載の方法。
【請求項６】
セロトニン変性剤、抗精神病薬、グルタマート受容体アゴニスト、アンタゴニスト、抗炎症薬、抗高血圧症薬、及び中枢神経系刺激剤から選択される薬剤と、医薬的に許容可能な担体とを含む医薬組成物であって、ＢＢＢをその必要とする被検者において変性するための方法に使用される医薬組成物。
【請求項７】
予め定められた時間にわたって取得された被検者の脳の複数の磁気共鳴画像から被検者の血液脳関門を分析するための装置であって、被検者は、検出可能な用量のＭＲＩ造影剤を有しており、装置は、
それぞれの磁気共鳴画像に対して強度マップを作図するための強度マップ作成装置、
一対の強度マップの間での非類似性を検出することにより、前記脳内における造影剤の濃度の変動を表現する少なくとも１つの変動マップを作図するための変動マップ作成装置、および
前記変動に基づいて血液脳関門機能を評価し、かつ、その血液脳関門機能に関するレポートを発行するように構成される血液脳関門機能評価ユニット
を含む装置。
【請求項８】
前記評価ユニットは、それぞれの磁気共鳴画像に対して代表的強度値を割り当て、かつ、前記代表的強度値の時間依存性を決定するように構成される、請求項７に記載の装置。
【請求項９】
前記評価ユニットは、前記時間依存性を表現するグラフを作成するように構成される、請求項８に記載の装置。
【請求項１０】
それぞれの代表的強度値は、個々の磁気共鳴画像における強度を平均することにより割り当てられる、請求項８に記載の装置。
【請求項１１】
それぞれの磁気共鳴画像はスライスされた磁気共鳴画像を含んでおり、前記比較ステップがスライスごとに実施される、請求項７〜１０のいずれかに記載の装置。
【請求項１２】
前記少なくとも１つの変動マップは減算マップ、勾配マップ及び比率マップの少なくとも１つを含む、請求項７〜１１のいずれかに記載の装置。
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
その連携先のノズルから吐出された液体を操作して第１サイズ液滴及びそれ以下の大きさの第２サイズ液滴を発生させ、ある液滴速度で液滴弾道上に送り出す液滴発生器と、
その偏向ゾーンにおけるガス流の速度ベクトルが、その液滴弾道に平行な平行速度成分及び当該液滴弾道に直交する直交速度成分を含むものになるよう、またその平行速度成分の大きさが液滴速度に比し０．２５倍超になり且つ直交速度成分の大きさが第１及び第２液滴を第１及び第２サイズ液滴弾道のうち対応するものへと偏向させるに足る大きさになるよう、液滴弾道の少なくとも一部分を占める偏向ゾーンにガス流を送り込むガス流式偏向システムと、
第１及び第２サイズ液滴弾道のうち一方を遮り、その弾道に沿って移動中の液滴を捕獲するが、他方の弾道に沿って移動中の液滴は捕獲しないよう、第１及び第２サイズ液滴弾道のうち一方に対応して配置されたキャッチャと、
を備える印刷装置。
【請求項２】
連携先のノズルから吐出された液体を液滴発生器で操作して第１サイズ液滴及びそれ以下の大きさの第２サイズ液滴を発生させ、ある液滴速度で液滴弾道上に送り出すステップと、
その偏向ゾーンにおけるガス流の速度ベクトルが、その液滴弾道に平行な平行速度成分及び当該液滴弾道に直交する直交速度成分を含むものになるよう、またその平行速度成分の大きさが液滴速度に比し０．２５倍超になり且つ直交速度成分の大きさが第１及び第２液滴を第１及び第２サイズ液滴弾道のうち対応するものへと偏向させるに足る大きさになるよう、ガス流式偏向システムを用い、液滴弾道の少なくとも一部分を占める偏向ゾーンにガス流を送り込むステップと、
第１及び第２サイズ液滴弾道のうち一方に対応して配置されているキャッチャによって、第１及び第２サイズ液滴弾道のうち一方を遮り、その弾道に沿って移動中の液滴を捕獲するが、他方の弾道に沿って移動中の液滴は捕獲しないでおくステップと、
を有する印刷方法。
【請求項３】
その連携先のノズルから吐出された液体を操作して大体積液滴及び小体積液滴を発生させある液滴速度で初期液滴弾道上に送り出す液滴発生器と、
小体積液滴がそのガス流によって初期液滴弾道から偏向され偏向後小体積液滴弾道沿いに移動し始めるよう、正圧源で生成されたガス流を第１ガス流ダクト経由で且つ非直交且つ不平行な方向から初期液滴弾道に送り込むガス流式偏向システムと、
移動中の小体積液滴を捕獲するよう、また第１ガス流ダクト経由で送り込まれたガス流の一部を本プリントヘッドから排出するための第２ガス流ダクトが液滴発生器との間に形成されるよう、偏向後小体積液滴弾道を基準に配置されたキャッチャと、
を備えるプリントヘッド。
【請求項４】
ノズルから吐出された液体を液滴発生器によって操作して大体積液滴及び小体積液滴を発生させ初期液滴弾道上に送り出すステップと、
正圧源で生成されたガス流をガス流式偏向システム内の第１ガス流ダクト経由で供給するステップと、
そのガス流を非直交且つ不平行な方向から初期液滴弾道に送り込むことで小体積液滴を初期液滴弾道から偏向後小体積液滴弾道へと偏向させるステップと、
移動中の小体積液滴を偏向後小体積液滴弾道を基準に配置されているキャッチャで捕獲するステップと、
第１ガス流ダクト経由で送り込まれたガス流の一部分をキャッチャと液滴発生器の間にある第２ガス流ダクト経由でプリントヘッドから排出するステップと、
を有する印刷方法。
【請求項５】
その連携先のノズルから吐出された液体を操作して大体積液滴及び小体積液滴を発生させ初期液滴弾道上に送り出す液滴発生器と、
小体積液滴がそのガス流によって初期液滴弾道から偏向され偏向後小体積液滴弾道沿いに移動し始めるよう、正圧源で生成されたガス流を第１ガス流ダクト経由で且つ非直交且つ不平行な方向から初期液滴弾道に送り込むガス流式偏向システムと、
移動中の大体積液滴を捕獲するよう、また液滴発生器との間に第１ガス流ダクトが形成されるよう、初期液滴弾道を基準に配置されたキャッチャと、
を備えるプリントヘッド。
【請求項６】
その連携先のノズルから吐出された液体を液滴発生器で操作して大体積液滴及び小体積液滴を発生させ初期液滴弾道上に送り出すステップと、
正圧源で生成されたガス流をガス流式偏向システムの第１ガス流ダクト経由で供給するステップと、
小体積液滴がそのガス流によって初期液滴弾道から偏向され偏向後小体積液滴弾道沿いに移動し始めるようそのガス流を非直交且つ不平行な方向から初期液滴弾道に送り込むステップと、
液滴発生器との間に第１ガス流ダクトが形成されるよう初期液滴弾道を基準に配置されたキャッチャで移動中の大体積液滴を捕獲するステップと、
を有する印刷方法。
【手続補正書】
【提出日】平成23年5月2日(2011.5.2)
【手続補正１】
【補正対象書類名】特許請求の範囲
【補正対象項目名】全文
【補正方法】変更
【補正の内容】
【特許請求の範囲】
【請求項１】
高血糖、インスリン抵抗性、β膵臓細胞不全又は関連する病状の中から選択される病状の治療用の、3,5-ジヨードチロニン、3',3-ジヨードチロニン、3',5-ジヨードチロニン、3'-ヨードチロニン、3-ヨードチロニン又は5-ヨードチロニンの中から選択される少なくとも１つのホルモンを含んでなる医薬組成物。
【請求項２】
前記ホルモンが3,5-ジヨードチロニン、3',3-ジヨードチロニン又は3',5-ジヨードチロニンの中から選択される請求項１に記載の医薬組成物。
【請求項３】
糖尿病の治療用である請求項１又は２に記載の医薬組成物。
【請求項４】
糖尿病が１型又は２型糖尿病である請求項３に記載の医薬組成物。
【請求項５】
活性物質として、3,5-ジヨードチロニン、3',3-ジヨードチロニン、3',5-ジヨードチロニン、3'-ヨードチロニン、3-ヨードチロニン又は5-ヨードチロニンの中から選択される少なくとも１つのホルモンを、皮下又は経皮経路を介する投与に適切である医薬的に許容され得るビヒクルと組み合せて含んでなる医薬組成物。
【請求項６】
前記医薬的に許容され得るビヒクルが前記活性物質の連続放出を可能にする請求項５に記載の医薬組成物。
【請求項７】
前記医薬的に許容され得るビヒクルが前記活性物質の連続定常放出を可能にする請求項５又は６に記載の医薬組成物。
【請求項８】
0.01μg/kg/日〜250μg/kg/日の活性物質の放出に適切な形態である請求項５〜７のいずれか１項に記載の医薬組成物。
【請求項９】
0.01μg/kg/日〜25μg/kg/日の活性物質の放出に適切な形態である請求項８に記載の医薬組成物。
【請求項１０】
0.1μg/kg/日〜15μg/kg/日の活性物質の放出に適切な形態である請求項８に記載の医薬組成物。
【請求項１１】
0.1μg/kg/日〜5μg/kg/日の活性物質の放出に適切な形態である請求項８に記載の医薬組成物。
【請求項１２】
0.1μg/kg/日〜1μg/kg/日の活性物質の放出に適切な形態である請求項８に記載の医薬組成物。
【請求項１３】
投薬単位基準で、５μg〜1.5ｇの活性物質を含んでなる請求項５〜１２のいずれか１項に記載の医薬組成物。
【請求項１４】
投薬単位基準で、75mg〜750mgの活性物質を含んでなる請求項１３に記載の医薬組成物。
【請求項１５】
前記医薬的に許容され得るビヒクルが皮膚透過性の亢進に使用される化学物質である請求項５〜１４のいずれか１項に記載の医薬組成物。
【請求項１６】
前記皮膚透過性の亢進に使用される化学物質がアルコールである請求項１５に記載の医薬組成物。
【請求項１７】
−  高血糖、インスリン抵抗性、β膵臓細胞不全、糖尿病又は関連する病状、
−  肥満、過体重又は関連する病状、高コレステロール血症、高トリグリセリド血症、異脂肪血症、アルコール肝炎性及び非アルコール肝炎性皮脂欠乏症、アテローム性動脈硬化症、代謝異常に伴うヘパトパシー、胆嚢疾患、皮下脂肪の沈着又は血管運動神経性鼻炎
の中から選択される病状の治療用の、3,5-ジヨードチロニン、3',3-ジヨードチロニン、3',5-ジヨードチロニン、3'-ヨードチロニン、5'-ヨードチロニン、3-ヨードチロニン又は5-ヨードチロニンの中から選択される少なくとも１つのホルモンを、皮下又は経皮経路を介する投与に適切である医薬的に許容され得るビヒクルと組み合わせて含んでなる医薬組成物。
【請求項１８】
高血糖、インスリン抵抗性、β膵臓細胞不全又は関連する病状の治療用である請求項１７に記載の医薬組成物。
【請求項１９】
前記皮下脂肪がセリュライトである請求項１７に記載の医薬組成物。
【請求項２０】
糖尿病の治療用である請求項１８又は１９に記載の医薬組成物。
【請求項２１】
糖尿病が１型又は２型糖尿病である請求項２０に記載の医薬組成物。
【請求項２２】
前記医薬的に許容され得るビヒクルが前記活性物質の連続放出を可能にする請求項１７〜２１のいずれか１項に記載の医薬組成物。
【請求項２３】
前記医薬的に許容され得るビヒクルが前記活性物質の連続定常放出を可能にする請求項２２に記載の使用医薬組成物。
【請求項２４】
前記ホルモン及び前記医薬的に許容され得るビヒクルが、0.01μg/kg/日〜250μg/kg/日の活性物質の放出に適切な形態にある請求項１７〜２３のいずれか１項に記載の医薬組成物。
【請求項２５】
前記ホルモン及び前記医薬的に許容され得るビヒクルが、0.01μg/kg/日〜25μg/kg/日の活性物質の放出に適切な形態にある請求項１７〜２３のいずれか１項に記載の医薬組成物。
【請求項２６】
前記ホルモン及び前記医薬的に許容され得るビヒクルが、0.1μg/kg/日〜15μg/kg/日の活性物質の放出に適切な形態にある請求項１７〜２３のいずれか１項に記載の医薬組成物。
【請求項２７】
前記ホルモン及び前記医薬的に許容され得るビヒクルが、0.1μg/kg/日〜5μg/kg/日の活性物質の放出に適切な形態にある請求項１７〜２３のいずれか１項に記載の医薬組成物。
【請求項２８】
前記ホルモン及び前記医薬的に許容され得るビヒクルが、0.1μg/kg/日〜1μg/kg/日の活性物質の放出に適切な形態にある請求項１７〜２３のいずれか１項に記載の医薬組成物。
【請求項２９】
糖尿病の治療用を意図した同時、別々又は逐次使用のための組合せ品として
−  3,5-ジヨードチロニン、3',3-ジヨードチロニン、3',5-ジヨードチロニン、3'-ヨードチロニン、3-ヨードチロニン又は5-ヨードチロニンの中から選択される少なくとも１つのホルモンと、
−  インスリンの膵臓分泌を活性化する少なくとも１つの活性物質、又はグルコースの消化吸収の緩徐化を可能にする少なくとも１つの活性物質とを含んでなる製品。
【請求項３０】
前記インスリンの膵臓分泌を活性化する少なくとも１つの活性物質が、抗糖尿病経口薬剤から選択される請求項２９に記載の製品。
【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
活性物質として、
−  3',5',3-トリヨードチロニン(rT3)、
−  3',3-ジヨードチロニン、5',3-ジヨードチロニン、3'-ヨードチロニン、5'-ヨードチロニン及び3-ヨードチロニンの中から選択されるrT3誘導ホルモン、又は
−  rT3生成の促進を可能にする分子との組合せでの、rT3の前駆体であるT4、
の中から選択される少なくとも１つのホルモンを、医薬的に許容され得るビヒクルと組み合わせて含んでなる医薬組成物。
【請求項２】
前記活性物質がrT3である請求項１に記載の医薬組成物。
【請求項３】
0.01μg/kg/日〜250μg/kg/日の活性物質の放出に適切な形態の請求項１又は２に記載の医薬組成物。
【請求項４】
0.01μg/kg/日〜25μg/kg/日の活性物質の放出に適切な形態の請求項１又は２に記載の医薬組成物。
【請求項５】
0.1μg/kg/日〜15μg/kg/日の活性物質の放出に適切な形態の請求項１又は２に記載の医薬組成物。
【請求項６】
0.1μg/kg/日〜５μg/kg/日の活性物質の放出に適切な形態の請求項１又は２に記載の医薬組成物。
【請求項７】
0.1μg/kg/日〜１μg/kg/日の活性物質の放出に適切な形態の請求項１又は２に記載の医薬組成物。
【請求項８】
投薬単位基準で、５μg〜1.5ｇの活性物質を含んでなる請求項１〜７のいずれか１項に記載の医薬組成物。
【請求項９】
投薬単位基準で、75mg〜750mgの活性物質を含んでなる請求項１〜７のいずれか１項に記載の医薬組成物。
【請求項１０】
−  高血糖、インスリン抵抗性、β膵臓細胞不全又は関連する病状、
−  コレステロール及び/又はトリグリセリドの血漿濃度が正常濃度より高い病状、異脂肪血症、又は
−  過体重に関連するか又は脂肪沈着の過剰に関連する病状
の治療のための、請求項１〜９のいずれか１項に記載の医薬組成物。
【請求項１１】
１型及び２型糖尿病から選択される糖尿病、β膵臓細胞不全、肥満、過体重又は関連する病状、高コレステロール血症、高トリグリセリド血症、異脂肪血症、アルコール肝炎性及び非アルコール肝炎性皮脂欠乏症、アテローム性動脈硬化症、代謝異常に関連するヘパトパシー、胆嚢疾患、セリュライトから選択される皮下脂肪の沈着、又は血管運動神経性鼻炎の中から選択される病状の治療のための請求項１０に記載の医薬組成物。
【請求項１２】
前記医薬的に許容され得るビヒクルが医薬組成物を製造するために製薬産業で通常用いられる医薬的に許容され得る固体又は液体の希釈剤又はカプセル化剤、充填剤又はキャリア剤である請求項１〜１１のいずれか１項に記載の医薬組成物。
【請求項１３】
経口、静脈内、筋肉内、皮下、経皮、鼻、腹腔内、舌下又は直腸経路を介する投与に適切な請求項１〜１２のいずれか１項に記載の医薬組成物。
【請求項１４】
前記医薬的に許容され得るビヒクルが前記活性物質の連続放出を可能にする請求項１〜１３いずれか１項に記載の医薬組成物。
【請求項１５】
前記連続放出が定常放出である請求項１４に記載の医薬組成物。
【請求項１６】
糖尿病の治療用を意図した同時、別々又は逐次使用のための組合せ製品として、
−  3',5',3-トリヨードチロニン(rT3)、
3',3-ジヨードチロニン、5',3-ジヨードチロニン、3'-ヨードチロニン、5'-ヨードチロニン及び3-ヨードチロニンの中から選択されるrT3誘導ホルモン、及び
rT3生成の促進を可能にする分子との組合せでの、rT3前駆体であるT4
の中から選択される少なくとも１つのホルモンと、
−  インスリンの膵臓分泌を活性化する少なくとも１つの活性物質、又はグルコースの消化吸収の緩徐化を可能にする少なくとも１つの活性物質とを
含んでなる製品。
【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2010526827.tif 000001
（式中、Ｘは、ＨまたはＦである）
の（−）立体異性体またはその塩もしくはプロドラッグ。
【請求項２】
式（Ｉ）の（−）立体異性体または薬学上許容されるその塩もしくはプロドラッグである、請求項１に記載の化合物。
【請求項３】
式（Ｉ）の（−）立体異性体または薬学上許容されるその塩である、請求項２に記載の化合物。
【請求項４】
ＸがＨである、請求項１から３のいずれか一項に記載の化合物。
【請求項５】
請求項２から４のいずれか一項に記載の化合物と、薬学上許容される担体とを含む医薬組成物。
【請求項６】
静脈内投与用に製剤される、請求項５に記載の医薬組成物。
【請求項７】
脂質エマルションとして製剤される、請求項６に記載の医薬組成物。
【請求項８】
動物において全身麻酔を導入または維持するための組成物であって、式（Ｉ）：
【化２】
2010526827.tif 000002
（式中、Ｘは、ＨまたはＦである）
の（−）立体異性体または薬学上許容されるその塩もしくはプロドラッグの有効量を含む組成物。
【請求項９】
前記式（Ｉ）の（−）立体異性体または薬学上許容されるその塩の有効量を含む、請求項８に記載の組成物。
【請求項１０】
ＸがＨである、請求項８又は９に記載の組成物。
【請求項１１】
動物において鎮静を促進するための組成物であって、式（Ｉ）：
【化３】
2010526827.tif 000003
（式中、Ｘは、ＨまたはＦである）
の（−）立体異性体または薬学上許容されるその塩もしくはプロドラッグの有効量を含む組成物。
【請求項１２】
前記式（Ｉ）の（−）立体異性体または薬学上許容されるその塩の有効量を含む、請求項１１に記載の組成物。
【請求項１３】
ＸがＨである、請求項１１又は１２に記載の組成物。
【請求項１４】
医学療法で使用するための、請求項２から４のいずれか一項に記載の化合物。
【請求項１５】
動物において全身麻酔を導入または維持するための、請求項２から４のいずれか一項に記載の化合物。
【請求項１６】
動物において鎮静を促進するための、請求項２から４のいずれか一項に記載の化合物。
【請求項１７】
請求項１から４のいずれか一項に記載の化合物を調製する方法であって、
（ａ）式：
【化４】
2010526827.tif 000004
（式中、Ｒ１はキラルなアミノ基を表す）
のカルバミン酸（−）−２−ｓｅｃ−ブチル−６−イソプロピルフェニルエステルのジアステレオ異性体を加水分解すること、
（ｂ）式：
【化５】
2010526827.tif 000005
の対応する（−）−２−ｓｅｃ−ブチル−６−イソプロピルアニリンをジアゾ化すること、または
（ｃ）式：
【化６】
2010526827.tif 000006
の対応する２−（１−メチルアリル）−６−イソプロピルフェノールを還元し、その後、必要に応じ、遊離フェノールまたはその塩もしくはプロドラッグを形成すること、を含む方法。
【請求項１８】
前記塩を形成することを含む、請求項１７に記載の方法。
【請求項１９】
ＸがＨである、請求項１７又は１８に記載の方法。
【請求項２０】
式：
【化７】
2010526827.tif 000007
（式中、Ｒ１はキラルなアミノ基を表し、Ｘは、ＨまたはＦである）
のカルバミン酸（−）−２−ｓｅｃ−ブチル−６−イソプロピルフェニルエステルのジアステレオマー。
【請求項２１】
Ｒ１が（Ｒ）−１−アリールエチルアミノ基である、請求項２０に記載のジアステレオマー。
【請求項２２】
ＸがＨである、請求項２０に記載のジアステレオマー。
【請求項２３】
動物において制吐作用を促進するための組成物であって、式（Ｉ）：
【化８】
2010526827.tif 000008
（式中、Ｘは、ＨまたはＦである）
の（−）立体異性体または薬学上許容されるその塩もしくはプロドラッグを含む組成物。
【請求項２４】
前記式（Ｉ）の（−）立体異性体または薬学上許容されるその塩を含む、請求項２３に記載の組成物。
【請求項２５】
ＸがＨである、請求項２３又は２４に記載の組成物。
【請求項２６】
動物において悪心、嘔吐を治療するための組成物であって、式（Ｉ）：
【化９】
2010526827.tif 000009
（式中、Ｘは、ＨまたはＦである）
の（−）立体異性体または薬学上許容されるその塩もしくはプロドラッグを含む組成物。
【請求項２７】
前記式（Ｉ）の（−）立体異性体または薬学上許容されるその塩を含む、請求項２６に記載の組成物。
【請求項２８】
ＸがＨである、請求項２６又は２７に記載の組成物。
【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
第１の疎水性薬物、第２の疎水性薬物及びポリマー複合体を含む組成物であって、
該ポリマー複合体は、共有結合によらずに該第１の疎水性薬物の少なくとも一部をその中に閉じ込めるポリマーマトリックスを有し、かつ該ポリマー複合体は、式（Ｉ）：
【化１】
2010526829.tif 000001
（式中、ｎは１又は２であり、各Ａ１は独立して酸素又はＮＲ５であり、ここでＲ５は水素又はＣ１−４アルキル基であり、かつＲ１及びＲ２の少なくとも１つは該第２の疎水性薬物を含む基である）の繰り返し単位を有する、組成物。
【請求項２】
Ｒ１及びＲ２の一方のみが該第２の疎水性薬物を含む基である場合、Ｒ１及びＲ２のもう一方は、水素、Ｃ１−１０アルキル基、Ｃ６−２０アリール基、アンモニウム基、アルカリ金属、多座配位子、保護された酸素原子を有する多座配位子前駆体、標的化剤を含む基、光造影剤を含む基、磁気共鳴造影剤を含む基、及び安定剤を含む基からなる群から選択される、請求項１に記載の組成物。
【請求項３】
該ポリマー複合体は、式（ＩＩ）：
【化２】
2010526829.tif 000002
（式中、ｍは１又は２であり、各Ａ２は独立して酸素又はＮＲ６であり、ここでＲ６は水素又はＣ１−４アルキル基であり、かつＲ３及びＲ４はそれぞれ独立して水素、アンモニウム、及びアルカリ金属からなる群から選択される）の繰り返し単位をさらに有する、請求項１又は２に記載の組成物。
【請求項４】
該ポリマー複合体は、式（ＩＩＩ）：
【化３】
2010526829.tif 000003
（式中、Ｒ７は水素、アンモニウム、又はアルカリ金属である）の繰り返し単位をさらに有する、請求項１〜３のいずれか１項に記載の組成物。
【請求項５】
該第１の疎水性薬物は該第２の疎水性薬物と異なる化学構造を有するか、又は該第１の疎水性薬物は該第２の疎水性薬物と同じ化学構造を有する、請求項１〜４のいずれか１項に記載の組成物。
【請求項６】
該第１の疎水性薬物の少なくとも１つと該第２の疎水性薬物の少なくとも１つは抗癌薬である、請求項１〜５のいずれか１項に記載の組成物。
【請求項７】
該抗癌薬がタキサン、カンプトテカ、及びアントラサイクリンから選択される、請求項６に記載の組成物。
【請求項８】
該タキサンがパクリタキセル及びドセタキセルから選択される、請求項７に記載の組成物。
【請求項９】
該タキサンがパクリタキセルである、請求項８に記載の組成物。
【請求項１０】
該カンプトテカはカンプトテシンである、請求項７に記載の組成物。
【請求項１１】
該アントラサイクリンはドキソルビシンである、請求項７に記載の組成物。
【請求項１２】
該ポリマー複合体は、該第１の疎水性薬物と該ポリマー複合体の合計重量に対する該第２の疎水性薬物の質量比で、約１％〜約５０％（重量／重量）の範囲の量の該第２の疎水性薬物を含む、請求項１〜１１のいずれか１項に記載の組成物。
【請求項１３】
該第１の疎水性薬物は、該第１の疎水性薬物と該ポリマー複合体の合計重量に対する該第１の疎水性薬物の質量比で、約１％〜約５０％（重量／重量）の範囲の量で存在する、請求項１〜１２のいずれか１項に記載の組成物。
【請求項１４】
該標的化剤はアルギニン−グリシン−アスパラギン酸（ＲＧＤ）ペプチド、フィブロネクチン、葉酸、ガラクトース、アポリポ蛋白質、インスリン、トランスフェリン、繊維芽細胞増殖因子（ＦＧＦ）、上皮細胞増殖因子（ＥＧＦ）、及び抗体からなる群から選択される、請求項２〜１３のいずれか１項に記載の組成物。
【請求項１５】
該光造影剤はアクリジン色素、クマリン色素、ローダミン色素、キサンテン色素、シアニン色素、及びピレン色素からなる群から選択される、請求項２〜１３のいずれか１項に記載の組成物。
【請求項１６】
該磁気共鳴造影剤が、Ｇｄ（ＩＩＩ）化合物を含む、請求項２〜１３のいずれか１項に記載の組成物。
【請求項１７】
該Ｇｄ（ＩＩＩ）化合物が、
【化４】
2010526829.tif 000004
又は
【化５】
2010526829.tif 000005
を含む、請求項１６に記載の組成物。
【請求項１８】
該多座配位子が、
【化６】
2010526829.tif 000006
（式中、各Ｒ８はそれぞれ独立して水素、アンモニウム及びアルカリ金属からなる群から選択される。）
又は
【化７】
2010526829.tif 000007
（式中、各Ｒ９はそれぞれ独立して水素、アンモニウム及びアルカリ金属からなる群から選択される。）を含む、請求項２〜１３のいずれか１項に記載の組成物。
【請求項１９】
該保護された酸素原子を有する多座配位子前駆体が、
【化８】
2010526829.tif 000008
を含む、請求項２〜１３のいずれか１項に記載の組成物。
【請求項２０】
該安定剤がポリエチレングリコールである、請求項２〜１３のいずれか１項に記載の組成物。
【請求項２１】
ｎ及びｍの少なくとも１つは、２である、請求項３〜２０のいずれか１項に記載の組成物。
【請求項２２】
ｎは２である、請求項１〜２０のいずれか１項に記載の組成物。
【請求項２３】
請求項１〜２２のいずれか１項の組成物を製造する方法であって、
少なくとも部分的にポリマー複合体を溶媒に溶解する工程、及び、
第１の疎水性薬物を少なくとも部分的に溶解されたポリマー複合体と混合して混合物を調製する工程を有する、方法。
【請求項２４】
請求項１〜２２のいずれか１項に記載の組成物の有効組成物を含有する、疾患又は症状の治療又は寛解のための医薬組成物。
【請求項２５】
請求項１〜２２のいずれか１項に記載の組成物の有効組成物を含有する、疾患又は症状の診断のための医薬組成物。
【請求項２６】
該疾患又は症状が、肺腫瘍、乳房腫瘍、結腸腫瘍、卵巣腫瘍、前立腺腫瘍、及びメラノーマ腫瘍から選択される、請求項２４〜２５のいずれか１項に記載の医薬組成物。
【請求項２７】
該疾患又は症状が、肺癌、乳癌、結腸癌、卵巣癌、前立腺癌、及び黒色腫からなる群から選択される、請求項２４〜２５のいずれか１項に記載の医薬組成物。
【請求項２８】
請求項１〜２２のいずれか１項に記載の組成物の有効組成物を含有する、組織の一部を造影するための医薬組成物。
【請求項２９】
該組織は、肺腫瘍、乳房腫瘍、結腸腫瘍、及び卵巣腫瘍からなる群から選択される腫瘍からのものである、請求項２８に記載の医薬組成物。
【請求項３０】
該医薬組成物が、静脈に投与のための形態である請求項２４〜２９のいずれか１項の医薬組成物。
【手続補正書】
【提出日】平成23年4月1日(2011.4.1)
【手続補正１】
【補正対象書類名】明細書
【補正対象項目名】００１１
【補正方法】変更
【補正の内容】
【００１１】
慢性皮膚創傷は、糖尿病、循環の問題、癌、免疫系障害、神経性の障害を有する人々、または運動制限を有するがゆえに車椅子に拘束されているかもしくは寝たきりの人においてあまりにもありふれた問題である。運動制限は、損傷もしくは疾患または出生時欠損（例えば、脳性麻痺および二分脊椎）に起因する麻痺によるものであり得る。慢性皮膚潰瘍は、乗馬中の事故で麻痺になった有名俳優のＣｈｒｉｓｔｏｐｈｅｒ  Ｒｅｅｖｅの死亡の主要な要因である。皮膚潰瘍の有病率は、四肢麻痺患者において６０パーセント、および大??骨折のために入院中の高齢患者において６６パーセントもの高さであり得る（"Ｔｈｅ  Ａｇｅｎｃｙ  ｆｏｒ  Ｈｅａｌｔｈ  Ｃａｒｅ  Ｐｏｌｉｃｙ  ａｎｄ  Ｒｅｓｅａｒｃｈ"Ｃｌｉｎｉｃａｌ  Ｐｒａｃｔｉｃｅ  Ｇｕｉｄｅｌｉｎｅ  Ｎｕｍｂｅｒ  ３，ＡＨＣＰＲ  Ｐｕｂ．Ｎｏ．９２−００４７を参照のこと）。糖尿病患者の場合、１５％が、その生存期間中、少なくとも１回、非常に感染しやすい皮膚潰瘍を発症する。実際に、１年間に行われる糖尿病性切断術の８５％において、潰瘍が先に生じている。Ｇｌｏｖｅｒ  Ｊ．Ｌ．，ｅｔ．ａｌ．，１９９７，Ａｄｖ．Ｗｏｕｎｄ  Ｃａｒｅ  １０：３３−３８。
米国単独において慢性皮膚潰瘍に罹患している人は、５００〜７００万人にのぼると推定されている（Ｐｅｔｒｉｅ  Ｎ，ｅｔ．ａｌ，２００３，Ｓｕｒｇｉｃａｌ  Ｃｌｉｎｉｃｓ  ｏｆ  Ｎｏｒｔｈ  Ａｍｅｒｉｃａ  ８３（３）：１９４−９）。米国では、創傷の診断手技および外科的手技、医薬品、創傷閉鎖デバイス、ならびに病院および医師に対する代金を含む、慢性創傷の総直接コストは、毎年、推定２００億ドルに達する（Ｆｒｙｋｂｅｒｇ  Ｒ，ｅｔ．ａｌ．，２０００，Ｊ  Ｆｏｏｔ  Ａｎｋｌｅ  Ｓｕｒｇ  ３９（５  Ｓｕｐｐｌ）：１−６０；Ｈａｒｄｉｎｇ  Ｋ，ｅｔ．ａｌ．，２００２，ＢＭＪ  ３２４（７３３０）：１６０−３）。慢性創傷の間接的なコスト（例えば、労働時間の喪失および生活の質の悪化）は、この推定値に含められておらず、定量化するのは困難であるが、相当な額であると考えられ得る。
現在、慢性創傷の管理としては、薬物適用（例えば、抗細菌薬および抗真菌薬、組織プラスミノゲンアクチベーター（ｔＰＡ）などの血栓溶解剤または血栓粉砕剤）、圧縮包帯の使用、生物工学によって作られた皮膚代替物（Ｃｕｌｔｉｖａｔｅｄ  Ｅｐｉｄｅｒｍａｌ  Ａｌｌｏｇｒａｆｔｓ）、電気刺激、高度な薬物送達系（例えば、イオン導入に基づく経皮的送達系）、組織を修復する材料（例えば、血小板由来および自家の成長因子、顆粒球−マクロファージコロニー刺激因子（Ｇ−Ｍ  ＣＳＦ）ならびにメソグリカン（ｍｅｓｏｇｌｙｃａｎ））の局所的な送達、陰圧創傷治療および超音波が挙げられる。しかしながら、感染の積極的な管理による、慢性皮膚潰瘍を治療する学際的なアプローチおよび慢性皮膚潰瘍の治癒を促進する学際的なアプローチならびに血液循環を改善する学際的なアプローチにもかかわらず、慢性皮膚潰瘍は、臨床上の主要な問題であり続けている。ほとんどの場合、医師は、初期に創傷がこれらの高度かつ高額な手技を必要とし得るか判定する方法を有していない。ゆえに、慢性皮膚潰瘍を発症する高リスク集団に入る人々における皮膚潰瘍の治療ならびに予防の新しい進歩がなおも必要とされている。さらに、リスクのある人々における皮膚潰瘍の再発性のエピソードの予防の新しい進歩も急務である。
この出願の発明に関連する先行技術文献情報としては、以下のものがある（国際出願日以降国際段階で引用された文献及び他国に国内移行した際に引用された文献を含む）。
【先行技術文献】  
【特許文献】
【手続補正２】
【補正対象書類名】明細書
【補正対象項目名】００１２
【補正方法】変更
【補正の内容】
【００１２】
【特許文献１】  米国特許第６１７７２５７号明細書
【特許文献２】  米国特許出願公開第２００７／００１５７７９号明細書
【特許文献３】  米国特許出願公開第２００７／００９２５２９号明細書
【特許文献４】  米国特許第６６４９６１９号明細書
【特許文献５】  米国特許第７１６９９２４号明細書
【特許文献６】  米国特許出願公開第２００４／００６３７５３号明細書
【特許文献７】  米国特許第６３８３２２０号明細書
【特許文献８】  米国特許出願公開第２００７／００７８２９０号明細書
【非特許文献】
【手続補正３】
【補正対象書類名】明細書
【補正対象項目名】００１３
【補正方法】変更
【補正の内容】
【００１３】
【非特許文献１】  Ｃａｕｓｅｓ  ｏｆ  ｓｋｉｎ  ｕｌｃｅｒｓ，Ｍｅｄｉａｌ  Ｅｎｃｙｃｌｏｐｅｄｉａ（ｈｔｔｐ：／／ｗｅｂ．ａｒｃｈｉｖｅ．ｏｒｇ／ｗｅｂ／２００７０４２５１６５６５９／ｈｔｔｐ：／／ｗｗｗ．ｎｌｍ．ｎｌｈ．ｇｏｖ／ｍｅｄｌｉｎｅｐｌｕｓ／ｅｎｃｙ）２５  Ａｐｒｉｌ  ２００７（２５．０４．２００７）ｐａｇｅ［２−３］  ｒｅｔｒｉｅｖｅｄ  ｏｎ  １８  Ａｕｇｕｓｔ  ２００８
【発明の概要】
【課題を解決するための手段】